(57)【特許請求の範囲】
【請求項１】
病院内の複数の治療およびケア区域（１ａ、１ｂ、２ａ、２ｂ、３ａ、３ｂ、Ｏ１、Ｏ２）にサービス提供するための輸送および保管システムであって、各治療およびケア区域には、治療およびケア区域へのまたは前記治療およびケア区域からの清潔な品物の輸送のために確保される輸送ルート（２０）と、前記治療およびケア区域へのまたは前記治療およびケア区域からの非清潔な品物の輸送のために確保される輸送ルート（３０）とが接続されており、２つの前記輸送ルートは分離されており、前記輸送ルートと前記治療およびケア区域との間にはパーティション（３）が提供される、輸送および保管システムにおいて、前記パーティション（３）は、ロックゲート（６０）を含み、前記輸送ルートは、蓋部（５５）を有するコンテナ（５０）のためのコンベヤ（３２）を含み、前記コンベヤは、前記ロックゲートに接続されており、前記コンテナ（５０）が、縁（５１）を有し、前記ロックゲートが、前記コンテナ縁を包囲する内部開口縁（５２）を有し、前記コンテナは、前記コンテナ縁（５１）とかみ合って包囲するように構成された蓋部（５５）を備え、前記ロックゲート（６０）は、特定のコンテナが特定のロックゲートへ導かれる場合に、前記コンテナの内部が前記治療およびケア区域からアクセス可能となるように、前記コンテナ（５０）と前記蓋部（５５）との分離のためのグリッパ（６３）を含むことを特徴とする、輸送および保管システム。
【請求項２】
前記治療およびケア区域への清潔な品物のために確保される前記輸送ルート上の第１のタイプのコンテナと、前記治療およびケア区域からの非清潔な品物のために確保される前記輸送ルート上の別のタイプのコンテナとが使用されることを特徴とする、請求項１に記載の輸送および保管システム。
【発明の詳細な説明】
【技術分野】
【０００１】
本発明は、病院内の複数の治療およびケア区域にサービス提供するための輸送および保管システムに関する。
【０００２】
さらに、本発明は、病院内の複数の治療およびケア区域にサービス提供するための輸送および保管システムの動作のための方法に関する。
【背景技術】
【０００３】
非特許文献１から、患者治療領域へのエレベータおよび患者治療区域からのエレベータは、この区域へ向かう清潔なエレベータと、この区域から離れる非清潔なエレベータとに分割されるべきことが知られている。非特許文献２からは、手術室への貨物エレベータおよび手術室からの貨物エレベータについての同様の仕様が知られている。
【０００４】
特許文献１からは、患者部門への輸送トロリーと、患者部門から遠ざかるトロリーとの間の分離を備えた、病院への輸送システムが知られている。
【０００５】
病院内には、以下で「病室」または「治療もしくはケア区域」とも呼ばれる、患者治療セクションへのおよび患者治療セクションからの大量の品物の流れがある。食物ならびにシーツおよび枕カバーなどの、より日常的なものに加えて、幅広い特殊な製品があり、これらの製品は、それらの機能に応じて、個々の部門に毎日補充されなければならない。同時に、廃棄物または再利用可能な物のいずれかである物品の流れがあり、これらの物品は、部門から、および洗浄または他の改修部へ、輸送されなければならない。これは、使用済みの食器類ならびにシーツおよび枕カバーに関係するが、手術機器にも関係しており、手術機器は、次の手術のために洗浄され、オートクレーブされなければならない。さらに、特別な輸送、例えば、生体試料の輸送、および病院の薬局から患者への医薬品の輸送などが存在する。今日の病院では、これらのタスクに対する様々な解決策が存在しており、例えば、医薬品および生体試料用の空気管システムなどが存在する。ベッドまたはシーツおよび枕カバー用の輸送のための自動トロリーユニットも知られており、自動トロリーユニットは、典型的には、患者の流入がない区域に存在するように構成される。最後に、多くの輸送が、単純なトロリーおよびパレットジャッキまたは同様の車両を用いた通常の手動による運搬に基づいており、これらは病院内で手によって押される。ここで、病室へ運ばれる、清潔で、原則として無菌の物質が、感染の危険性をもたらし、病室から遠ざけられる使用済みの物質と一緒に並んで、同じ室内において途中で保管される重大なリスクがある。異なるトロリーまたは保管ユニットが、互いの通路を横断することがあり、個々の病室にまたがる混合も発生することがある。
【先行技術文献】
【特許文献】
【０００６】
【特許文献１】米国特許第４２７９５６３号明細書
【非特許文献】
【０００７】
【非特許文献１】「Interior health authority, British Columbia, Canada: Pedersen, R. et al: Staff Safety Guidelines For Interior Health/ Northern Health Facility Design Projects Updated November 2014」
【非特許文献２】「Department of Veteran Affairs, Office of Facilities Management Design Guide for Surgical Service. August 2005」
【発明の概要】
【発明が解決しようとする課題】
【０００８】
本発明により、最も高い程度でケアおよび治療区域から輸送される使用済みの物質または物質からの感染のリスクが最小限に抑えられる輸送システムが提供される。
【課題を解決するための手段】
【０００９】
これは、治療およびケア区域のための清潔な品物の配送のために確保される、治療およびケア区域に接続された輸送ルートと、治療およびケア区域からの非清潔な品物の除去のために確保される輸送ルートとによってもたらされ、輸送ルートと治療およびケア区域との間にはパーティションが提供されるので、２つの輸送ルートは分離されており、パーティションには、ロックゲートがあり、輸送ルートは、コンテナに対するコンベヤを含み、コンテナがコンテナ縁を有し、ロックゲートがコンテナ縁に対する包囲ロック開口を有するので、コンベヤは、ロックゲートに接続される。これによって、全ての物質が、後にコンテナ内で輸送されるので、治療およびケア区域からの輸送ルートだけでなく、輸送される物質とそのような輸送ルートとの間でも、実際の分離が可能となり、ここからロックゲートを介してアクセス可能となるのはコンテナの内部のみであるので、コンテナの外側は、治療およびケア区域と実際に接触することがない。
【００１０】
請求項２において述べられているように、コンテナ縁とかみ合って包囲するように構成された蓋部は、コンテナ縁に含まれており、それによって、特定のコンテナ内の内容物が、輸送中に周囲のものと接触しないことが保証される。
【００１１】
請求項３において述べられているように、ロックゲートは、所与のコンテナが所与のロックゲートへ導かれた場合に、コンテナの内部が治療およびケア区域からアクセス可能となるように、コンテナと、含まれる蓋部と、の分離のためのグリッパを含む。このような構成により、職員および患者は、コンテナを充填し、または空にするタスクのいかなる期間中においても、コンテナの外側に接触する必要がない。コンテナの蓋部は、例えば、移動可能な部品を介して、グリッパによって自動的に外され、このグリッパは、蓋部が、後に自動的に、かつ、職員との接触なしに、コンテナ開口とのその係合から取り外されるように、蓋部上の突出フランジの周りを把持することができる。
【００１２】
請求項４において述べられているように、２つの異なるタイプのコンテナ、すなわち、治療およびケア区域への物質の輸送のための第１のタイプと、治療およびケア区域からの搬送のため別のタイプとが使用される。これによって、２つのタイプのコンテナは、それぞれの機能に応じて製造され、最適化され得る。例えば、廃棄物および使用済みの物質を受け取り、それによって、非清潔な輸送ルート上で使用されるべきコンテナは、上方に面する開口を有するべきであり、ここで、清潔な輸送ルート上で使用され、病室へ向かう品物の輸送のために使用されるコンテナは、垂直な側面に開口を有することができると非常に良い。
【００１３】
本発明は、請求項５において述べられているように、病院内の複数の治療およびケア区域にサービス提供するための輸送および保管システムの動作のための方法にも関する。したがって、本発明によれば、各ケア区域に対して、治療およびケア区域への品物の配送のための清潔な輸送ルートと、治療およびケア区域からの品物の除去のための非清潔な輸送ルートとが接続されており、２つの輸送ルートは分離されており、さらに、コンテナのための全ての輸送ルートおよび全ての保管区域は、コンピュータシステムに接続されている。このシステムは、治療およびケア区域に向かって、清潔な物質を含むコンテナを移動させるための清潔な輸送ルートを始動するために信号を発し、治療およびケア区域から、非清潔な物質を含むコンテナを遠ざけるための非清潔な輸送ルートを始動するために信号を発する。ここで言及される輸送ルートは、例えば、一方の方向と他方の方向との両方においてコンテナを輸送することができるロボットトローリーから成ってもよく、したがって、コンテナが治療およびケア区域に向かって移動されるか、または治療およびケア区域から遠ざかって移動されるかは、そのトロリーがどの制御信号を受け取るかに依存する。各輸送ルートは、充填されたコンテナと空のコンテナとの両方を処理しければならない。なぜならば、清潔であるが空のコンテナは、洗浄および新たな充填のために治療およびケア区域から送り出されなければならず、これは、典型的には、清潔なコンテナのための輸送ルート上で発生し、一方で、非清潔なタイプの空のコンテナは、治療およびケア区域へ送られて、ここで非清潔な物質を受け取らなければならず、この輸送は、典型的には、非清潔な物質のための輸送ルート上で発生するであろうからである。
【００１４】
請求項６において述べられているように、各コンテナの位置および充填状態は、コンピュータシステムに絶えず記録され、これによって、清潔な物質のための輸送ルート上で非清潔な物質の輸送が発生しないように、およびこの逆が発生しないように保証され得ることが好ましい。
【００１５】
請求項７において述べられているように、異なるタイプの入力可能性が、コンピュータシステムに含まれる。入力は、通常の知られているユーザインターフェースを介して直接ユーザからであってもよい。入力は、病院の治療およびケア区域に関する変化した状態について通信を介してコンピュータシステムに対してであってもよく、最後に、入力は、病院の治療およびケア区域の状態におけるスケジューリングされた変化についての、コンピュータシステムに対する通信であってもよい。したがって、コンピュータシステムは、病院で前もって見出されるべき、考え得る患者および治療指向のシステムと、ある程度は統合する。これによって、スタッフにとっての作業負荷が低減される。なぜならば、例えば、患者が入院し、手術が計画され、その日付がＩＴシステムに入力される場合、多くのタスク、例えば、食品の注文、治療アイテムの注文、シーツおよび枕カバーの注文、その他多くのことが、自動的に発生し得るからである。周知のユーザ注文と一緒に、本システムは、特に包括的な柔軟性を提供する。
【００１６】
請求項８において述べられているように、ユーザは、単純なユーザインターフェースの使用中に、単純な注文を出す可能性を有するが、コンピュータシステムは、特定の部門に関する変化、例えば、患者の記録を記録するユーザを促し、そのユーザに、その患者に関連付けられる考え得る将来の配送について複数の質問を能動的に考慮するように要求することができ、それにより、コンピュータシステムは、ケアおよび治療部門に患者を受け入れるために、必要な物質が全て存在することを保証するように能動的に役立つという特徴をさらに有する。
【００１７】
請求項９から分かるように、コンピュータシステムには、各輸送コンテナのための監視設備が接続され、それにより、輸送中にコンテナが受ける影響が記録され、ユーザへ伝えられ得る。これによって、ユーザは、輸送された物質に対して輸送が悪影響を有したかどうかを決定することが可能になる。いくつかの場合において、これは、物質の適用可能性について特に決定的となることさえあり、したがって、この機能は、特に病院環境において非常に重要である。
【００１８】
本発明は、ここで、図面を参照して、より完全に説明されるであろう。
【図面の簡単な説明】
【００１９】
【図１】輸送および保管システムの概略的な概要を示す図である。
【図２】ロックゲートを備えたパーティションの概略的な製品の断面図である。
【図３】別のタイプのロックゲートを備えたパーティションの概略的な製品の断面図である。
【図４】輸送および保管システムのためのコンピュータシステムにおいて最も重要な機能要素の概略図である。
【図５】図４のコンピュータシステムに対応するコンピュータシステムが含むであろう、最も重要な物理要素の概略図である。
【図６】現代的な病院を特徴づける、最も一般的な部門および機能の階層的な提示を示す図である。
【図７】現代的な病院を特徴づける、最も一般的な部門および機能の階層的な提示を示す図である。
【発明を実施するための形態】
【００２０】
図１においては、病院１０内で病室１ａ、１ｂ、２ａ、２ｂ、３ａおよび３ｂと称される、複数の治療およびケア区域にサービス提供するための輸送および保管システムを見ることができる。病室１ａ〜３ｂの各々には、清潔な輸送ルート２０が接続される。この輸送ルート２０は、治療およびケア区域１ａ〜３ｂへの、または治療およびケア区域１ａ〜３ｂからの、清潔な品物の輸送のために確保され、それにより、治療およびケア区域においていかなる使用も見つからなかった清潔な品物のみが、ここへ輸送される。輸送ルート２０は、双方向の矢印により示されており、それは、充填場所へ戻るのにこのルートを用いて送られなければならない、空のコンテナの標識であり得る。さらに、例えば、あるコンテナをある部門から別の部門へこの通路によって移動させることが可能であり、その結果、輸送ルートのうちの少なくとも一部は、病室から遠ざかるであろう。同時に、非清潔な輸送ルート３０もあり、非清潔な輸送ルート３０は、非清潔な品物の輸送のために確保される。ケアおよび治療区域のうちの１つから来て、別の場所に行かなければならないものは、典型的には、使用済みの品物、廃棄物、生体試料およびその他であろう。しかしながら、空のコンテナも、非清潔な輸送ルートを介して、清潔な品物のために全てのロックゲートへ転送されなければならない。図から分かるように、２つの輸送ルート２０および３０は、これらが同じ部屋において発生するとしても、分離される。これは、万一事故が起こり、非清潔な物質への輸送ルートの一部が、伝染性の物質により汚染された場合、病室への全ての輸送は、別の輸送ルートで発生するので、その他の病室へその物質が広がらないことを意味する。それは、病原性のアイテムが病室から病室へ広がることに対する安全性が著しく高められる結果となる。また、単一の病室をその他の病室から分離することは、比較的簡単である。なぜならば、病室へのまたは病室からの物質の輸送の大部分が、本発明の輸送および保管システムを介して発生するからである。
【００２１】
一定のタイプの品物、例えば、ベッドおよび他のより大きなアイテムは、輸送システムがここでの例に応じた寸法とされているため、輸送システムを用いて送られることができない。しかし、患者の特別な分離の必要がある病室については、そのようなアイテムの不必要な輸送を防止するシステムが、比較的簡単に確立され得る。
【００２２】
図示されるようなシステムは、例えば、多剤耐性バクテリアの流行的発生を観測する病院１０が、その発生が分離され、病院のより広い部分へ広げられないように、病室間で品物および人員の輸送が発生しないように、その発生を制御し、手術を再計画することを著しくより簡単にする。
【００２３】
図１に示されるように、病室への品物を受け取るためのクリーンルーム２１と、病室からの品物を運ぶためのダーティールーム３１とが規定される。これにより、品物の２つのフローが互いに接触しないことが保証される。図から分かる通り、各病室１ａ〜３ｂからクリーンルーム２１への双方向の矢印があり、この矢印は、それが理に適うと考えられる場合には、清潔な品物をある病室から別の病室へ送る可能性が本システムにおいて存在することを示す。これによって、柔軟性はより大きくなり、病室が互いの保管された品物を使用することができる場合には、特に品物の総量が少なく維持され得るという重要性を有する。しかしながら、病室からダーティールーム３１の方へは、一方向に面する矢印のみがあり、この矢印は、その通路からは病室が品物を決して受け取らないことを示す。
【００２４】
異なる病室１ａ、２ａ、３ａおよび１ｂ、２ｂ、３ｂの間には、「ミニロード保管シャフト」と称されるシャフト４０がもたらされており、これは、品物が病室でさらに使用されるまで一時的に保管され得る、垂直なスタック設備がここに作られ得たことを示す。そのような構成は、並んで位置する複数の病室に沿った水平面においても確立され得る。また、２つの輸送ルート２０および３０は、このシャフト４０内に確立されるであろう。
【００２５】
図１には、様々な病室の下の水平面において、「供給廊下／地下」とマークされた水平輸送ルート４５が示されており、ここには、「自動保管レール網」とマークされた水平区域４６が配置されている。これは、例えば、清潔な品物用の、より広い保管領域として理解されるべきである。さらに、「ＯＰ／治療部門」とマークされた複数の部屋Ｏ１、Ｏ２が示されており、ここには、典型的には、手術または他の治療設備が配置されるであろう。これらの部屋には、清潔な品物を受け取るためのクリーンルームと、使用済みの品物を流すための非クリーンルームとの両方が接続される。
【００２６】
事務室と外来診療部門は、これらの区域から保管および輸送システムへのアクセスも存在するように、関連付けられたロックゲートと共に同様に示される。
【００２７】
図２および図３に示されるように、本発明によれば、パーティション３が、輸送ルート２０、３０と、治療およびケア区域ｏ１、ｏ２、１ａ、１ｂ、２ａ、２ｂ、３ａ、３ｂとの間に提供されるので、病室と輸送ルートとの間の分離が付加的に存在する。パーティション３は、治療およびケア区域から輸送ルート４０、４５、４６へ伝染性のアイテムが外に広がることができないように保証する。パーティション３には、下記に説明されるように、ロックゲート６０または同様のものが、必ずなければならない。
【００２８】
図２および図３に示されるロックゲート６０は、多少異なるが、それらは、外部開口縁５１を備えたコンテナ５０が、この開口縁５１にしっかりと沿ってロックゲート６０内の内部開口縁５２に適合することを可能にし、輸送ルート２０、３０が、コンテナ５０のためのコンベヤ３２を含み、このコンベヤ３２はロックゲート６０に接続されるという共通の特徴を有する。明瞭にするために、図３内の清潔なコンベヤは省略されている。図２において見ることができるように、コンテナ５０は、そのコンテナ縁が水平な状態で、ロックゲート６０内に提供され、コンテナは今やコンテナの上から下へ物質を受け取ることができる。それは、病室から輸送されるべき、廃棄物または使用済みのアイテムなどの物質に特に役立ち、次いで、このロックおよびコンテナタイプは、非クリーンルームからの非清潔な輸送ルートへの接続部として使用される。このタイプのコンテナおよびロックゲートは、患者からの生体試料にも適用可能である。なぜならば、そのような試料は、汚染物質であるとみなされ、したがって、非清潔な輸送ルートを使用するべきであるからである。図２には、コンテナ５０をロックゲート６０内の適所に運ぶように構成されているコンベヤ３２も示されている。一般に、コンテナ５０の内部への唯一のアクセスはロックゲートからしかなく、一方で、ロックゲート６０内の閉鎖デバイス６１は、適所に配置されたコンテナ５０が存在しない限り、閉鎖されたままに保持される。これによって、病室からは、パーティションの後ろの輸送ルートへのアクセスがないことが保証される。ロックゲートおよび閉鎖デバイスは、ここでは詳細に説明されない。
【００２９】
図３には、わずかに異なるタイプのロックゲートおよび輸送コンテナが示されており、ここでは、コンテナは、垂直面に沿って配置されたその開口縁５１を有する。したがって、内側の水平面は、コンテナの開口に隣接しており、コンテナ５０内に配置された物質についての自然な静止面となる。次いで、このタイプのコンテナおよびロックは、清潔な輸送ルートへの接続部において使用される。ここでも、病室から、コンテナの内部への唯一のアクセスはそこからしかないことが保証される。なぜならば、コンテナは、ロックゲートの開口縁５２の上にそのコンテナ縁を当接させた状態で提供されない限り、ロックへのアクセスを阻むからである。図３では、パーティション３の側に面する輸送ルートに向かうコンベヤは示されていないが、そこには、３つの図示されたロック開口の各々に含まれる通常の輸送デバイスまたはコンベヤが存在しており、それらのうちの最下部の２つのみに、図示された状況においてコンテナ５０が取り付けられている。
【００３０】
図２と図３の両方において、コンテナ５０が、コンテナ縁に対してしっかりと取り付けられる蓋部５５を有することが分かる。コンテナ縁と蓋部との間のしっかりと合った係合は、本分野において周知であるように、ガスケットおよび適切な係止爪の使用によって達成される。蓋部５５は、ロック時には自動的に取り外されるように構成されており、それによって、コンテナの内部は病室からアクセス可能になる。蓋部の取り外しおよび再取り付けは、グリッパ６３の助けにより発生し、グリッパ６３は、図２および図３に示されているが、他の箇所では、これ以上詳細には説明されない。
【００３１】
異なる構成：清潔な輸送および非清潔な輸送のための分離された輸送ルート、ロックゲートおよびしっかり閉まる蓋を備えたコンテナ、ならびに、最後に、コンテナの内部を提示するためのロックゲートは、各々が、病室から病室への伝染性の物質の輸送の危険性を低下させるために貢献し、全体として、それらは、病院内の全体的なロジスティクスに対して非常に柔軟で安全に貢献する。
【００３２】
上述したように、第１のタイプのコンテナは、治療およびケア区域への品物の配送のために確保されている輸送ルート、すなわち、清潔な輸送ルート上で使用され、別のタイプのコンテナは、治療およびケア区域からの品物の除去のために確保されている輸送ルート、いわゆる非清潔な輸送ルート上で使用される。垂直面において開口を備えた輸送コンテナは、あらゆる清潔な物質にとって有益である。なぜならば、これは、多くの場合、よく整理されており、例えば、まとめられており、または予め包装されており、供給者に対して、輸送コンテナの寸法に適合する包装サイズまたは小包を特定することができるからである。同じことは、部門から送り出されるべき非清潔な物質にも当てはまる。ここで、物質は、大抵は予め包装されておらず、配列されておらず、上部の水平面において開口を備えたコンテナが好ましい。
【００３３】
本発明は、コンピュータシステムも含み、この場合、コンテナ用の全ての輸送ルートおよび全ての保管区域は、コンピュータシステムと接続され、輸送ルートに沿ったコンテナの移動のために任意の輸送ルートに開始するための信号を発するのは、コンピュータシステムである。ここで、清潔な輸送ルートは、清潔な物質を有するコンテナの輸送のために始動され、対応して、非清潔な輸送ルートは、非清潔な物質を含むコンテナの輸送のために開始される。
【００３４】
インテリジェントな病院ロジスティクスシステムの図は、図４および図５に提示されており、ここで、図４は、制御機能の階層構造を示し、図５は、含まれる物理要素を列挙する。したがって、制御は、コンピュータシステムを含み、このコンピュータシステムは、最も外側のレベルにおいて、機械制御機能、システム統合およびユーザインターフェースを含む。機械制御機能の一部として、ここでは、ミニロードコントローラ、システムポートコントローラ、自動保管ＷＣＳ、クレート洗浄コントローラ、入口／出口ステーションコントローラ、キッチンステーションコントローラ、廃棄物ステーションコントローラが列挙される。これらのコントローラの各々は、デバイス内のコンテナに関連する特定のタスクを処理し、例えば、ミニロードコントローラは、地点Ａから地点Ｂへコンテナを移動させなければならず、問題となるミニロードユニットが、例えば、自動推進式ユニットである場合、両地点ＡおよびＢは、複数の取り得る受取部または保管地点のうちの１つとなり得る。例えば、通常のコンベヤなどの、より単純な輸送ユニットが、本システムの一部となり得るが、ここでは、これは大抵の場合、完全に自動であり、それにより、特定の場所の積荷の位置決めは、コンベヤを自動的に走らせ、次いで、例えば、貨物が特定の終点に到着したものとして記録されたときに、コンベヤは停止する。システムポートコントローラによって、制御機能が理解されるべきであり、これは、規制に従ったロックゲート機能を保証し、物質を受け取り、または渡すための病院部門におけるコンテナの提示を正確に実行する。
【００３５】
本システムには、自動保管庫または自動保管室も含まれる。それは、典型的には、スタック型保管庫とすることができ、スタック型保管庫は周知であり、これ以上は説明されないであろう。より大きいそのような自動保管庫には、ロックゲートにすぐ近接して配置される、区分された部分的な保管庫が接続され得る。ここには、迅速にアクセス可能でなければならない物質が配置され得、それにより、注文から受け取りまでにあまり多くの時間が経過せず、非清潔な物質に付随するコンテナは、例えば、一時的に空の状態で積み重ねられ得、それにより、コンテナは、コンテナへの必要性がある瞬間とほとんど同時に、物質を受け取る準備ができている。
【００３６】
付加的なコントローラは、クレート洗浄に、キッチンステーションに、および廃棄物ステーションに含まれる。最後に、入口／出口に言及されるべきであり、入口／出口において、コンテナは満たされ、自動保管システムにおける保管のための準備がされ、何らかの理由から、例えば、保存可能期間／耐用年数を超えた結果として、使用が見つからなかった内容物を空にされる。最後に、ここで、病院とは無関係であったコンテナの受取人への配送が発生し得る。
【００３７】
全体として、このコンピュータシステムは、コンテナの位置および充填状態における変化がそのコンピュータシステムにおいて常に記録されることを意味する。
【００３８】
コンピュータシステムは、さらに図示されるように、病院の付加的なシステムのうちのいくつか、例えば、ユーザ管理／ＡＤ、ＥＲＰ／調達システム、計画システムまたは患者日誌システムと統合される。そのような統合は、コンピュータシステムが病院運営をさらに自動化することを可能にし、それにより、例えば、様々な供給業者への注文が自動的に発生し、または部門への配送が個々の患者の疾患における変化に応じて自動的に更新され、または計画された活動は、部門にとっての必要なリソースを自動的に供給する結果となる。
【００３９】
最後に、コンピュータシステムの一部としても含まれる、様々な種類のユーザインターフェースに言及されるべきである。それは、分散ユニット、例えば、スマートフォン、タブレット、ＰＣまたはウェブクライアントユニットなどとすることができる。それはまた、例えば、（図４において「システムポート」として言及される）ロックゲートに直接接続され、または、図４において列挙されるような「低レベル機械制御」の他のものに直接接続される、実入力ユニットから成り得る。
【００４０】
したがって、コンピュータシステムは、いくつかの異なるタイプのユニットから、すなわち、１）ユーザインターフェースを介してユーザから、２）病院の治療およびケア区域における変化した状態の記録から、３）病院の治療およびケア区域の状態における計画された変化の記録から、入力を受け取る。
【００４１】
ユーザインターフェースを介したユーザからのユーザ入力が、所与の物質のある部門への所与の配送に関する単純な命令、または部門から所与の受取人までの所与の物質の輸送に関する注文を含むが、治療およびケア区域における状態の検出された変化の結果として、機器の供給に関して、ユーザがコンピュータシステムによって促される注文または入力も含むことは、本システムの顕著な特徴である。コンピュータシステムが、自動化された注文以外に関して付加的な仕様を要求する、この対話指向の入力形態は、最適で非常に柔軟な動作を保証するのに役立つ。
【００４２】
本システムにおけるコンテナの所与の輸送に関連して、コンテナの内容物が損傷されることなく可能とする外部効果および本システムにおける保持時間に対するフレームが常に関連付けられ、したがって、輸送が常に、コンテナ内の内容物についての予め定義された時間制限または温度制限の観測中に実行され得るように、コンピュータシステムは、輸送ルートに沿った輸送コンテナの任意の輸送に対して時間制限および／または温度制限を関連付けている。言うまでもなく、時間および温度以外の他のパラメータ、例えば、水分負担量、様々な種類の放熱および振動／衝撃が存在することがあり、コンテナ内の内容物は、これらを輸送中に最大限に受けざるを得ない。ここで、コンピュータシステムは、次いで、輸送ルートを計画し、スケジューリングしなければならず、これらは、これらの要件に関して、および他の輸送に関して考慮される。全ての要件が満たされ得ない場合、本システムは、次いで、少なくとも、輸送経過に関する詳細な報告を伝えることができる。これは、例えば、食物または医薬品を受け取る部門に、受け取った積荷の品質に関して、輸送がどの範囲において悪影響を有したかを評価する可能性を提供する。また、例えば、非清潔な輸送により送られる血液サンプルおよび他の生体試料は、輸送プロセスによって多かれ少なかれ影響を受け、サンプル結果は、特定のサンプルが選択されて以降、その特定のサンプルが受けたであろう潜在的な悪影響に照らして常に見られなければならない。
【００４３】
図５に示されるように、本システムには、物理的なアーキテクチャも含まれており、これは常に、個々の病院およびそのレイアウトをある程度反映するであろう。ここでは、例えば、以下の要素、すなわち、保管シャフト、水平輸送、システムポート、クレート洗浄機、入口／出口ステーション、キッチンステーション、廃棄物ステーション、中央保管庫、保管庫が留意されるべきである。保管シャフトには、例えば、ミニロードクレーンおよび保管棚も含まれる。水平輸送には、自動保管グリッドおよび自動保管ロボットなどの要素が含まれる。そして、貯蔵所の下には、要素貯蔵クローゼットおよび貯蔵棚が見出される。したがって、これらの要素は、病院およびそれらの位置に含まれるユニットの周りで物理的に見出され、数は、個々の病院のレイアウトおよび構成に依存するであろう。
【００４４】
図６および図７は、ある病院の様々な機能部分を概観で示す。図６には、大抵の場合に病院へ関連付けられるであろう、コアタスクが列挙されている。図６には、救急部門、集中治療ユニット、病院外科部門、外来部門および最後に病室が記述されている。外来部門の一部としては、典型的には、運動療法、物理療法が挙げられるが、多くの他のものが存在してもよい。この概観においては、通常の病院に焦点が合わせられているが、同様の輸送および保管システムは、ホスピス、および介護施設または老人ホームなどのケア施設において使用を見出すことができる。図７は、特別なサポート機能に関する概略的な概観を提供しており、特別なサポート機能は、典型的には、病院の統合された部分であり、ここでは、病院専門家サポート機能とサービスおよびサポート機能とに分割されている。病院専門家サポート機能としては、病院薬局、血液銀行、殺菌処理部門、ベッド洗浄および処理、補助保管庫、実験室、患者ロジスティクスおよびポーター機能、ならびにスタッフおよび人員輸送が列挙されている。異なる実験室、すなわち、生化学、病理学、および細菌学が、実験室として言及されている。ここで言及されるものは、最も一般的なものと考えられるが、これらの機能のうちのいくつかを病院の外部に配置することが可能であり、娯楽室および戸外回復室などの他の機能が含まれてもよい。サービスおよびサポート機能には、調達およびロジスティクス＋中央保管庫、中央郵便局、病院キッチン、エンジニアリング、サービスおよびメンテナンス、ＩＴ、洗濯、クリーニング、廃棄物管理が列挙されている。図６および図７に示される概観は、必ずしも包括的とは限らないが、全ての言及された構成要素について、それらの間にはロジスティクス接続の必要性があることが当てはまり、説明された輸送および保管システムは、病院または同様の施設において存在する、衛生に対する特別な必要性を保障しつつ、これらの要素を動作に関連する有利な手法で互いに結び付けるのに著しく役立つであろう。
【符号の説明】
【００４５】
１ａ、１ｂ、２ａ、２ｂ、３ａ、３ｂ  病室
Ｏ１、Ｏ２  部屋
３  パーティション
１０  病院
２０  清潔な輸送ルート
２１  クリーンルーム
３０  非清潔な輸送ルート
３１  非クリーンルーム
３２  非清潔なコンベヤ
４０  シャフト
４５  水平輸送ルート
４６  水平区域
５０  コンテナ
５１  外部開口縁
５２  内部開口縁
５５  蓋部
６０  ロックゲート
６１  閉鎖デバイス
６３  グリッパ
【図１】
0006636051.tif 000002
【図２】
0006636051.tif 000003
【図３】
0006636051.tif 000004
【図４】
0006636051.tif 000005
【図５】
0006636051.tif 000006
【図６】
0006636051.tif 000007
【図７】
0006636051.tif 000008